(57)【特許請求の範囲】
【請求項１】
ワイヤレスリモートコントローラから送信されアドレスデータを含む制御信号を受信して、空気調和機の運転を制御する空気調和機の制御装置において、少なくとも第１の位置、第２の位置を有するスイッチと、このスイッチが第１の位置から第２の位置に変わった際に第１の位置で受信した制御信号のアドレスデータを記憶部に格納する記憶制御部と、前記スイッチが第２の位置にある際に前記ワイヤレスリモートコントローラから送信された制御信号のアドレスデータと記憶部に記憶されたアドレスデータとの一致を判断し、この一致が判断されたときにこの制御信号を有効にする制御部とを備えたことを特徴とする空気調和機の制御装置。
【請求項２】
ワイヤレスリモートコントローラから送信されアドレスデータを含む制御信号を受信して、空気調和機の運転を制御する空気調和機の制御装置において、少なくとも第１の位置、第２の位置、第３の位置を有するスイッチと、このスイッチが第１の位置にある際に制御信号のアドレスデータに関わらずこの制御信号を有効にする第１の制御部と、このスイッチが第１の位置から第２の位置もしくは第３の位置に変わった際に第１の位置で受信した制御信号のアドレスデータを記憶部に格納する記憶制御部と、前記スイッチが第２の位置にある際に前記ワイヤレスリモートコントローラから送信された制御信号のアドレスデータと記憶部に記憶されたアドレスデータとの一致を判断し、この一致が判断されたときにこの制御信号を有効にする第２の制御部と、前記スイッチが第３の位置にある際に空気調和機の運転を停止状態に保つ第３の制御部とを備えたことを特徴とする空気調和機の制御装置。
【請求項３】
ワイヤレスリモートコントローラから送信されアドレスデータを含む制御信号を受信して、空気調和機の運転を制御する空気調和機の制御装置において、少なくとも第１の位置、第２の位置、第３の位置を有するスイッチと、このスイッチが第１の位置にある際に制御信号のアドレスデータに関わらずこの制御信号を有効にする第１の制御部と、このスイッチが第３の位置から第２の位置に変わった際に第１の位置で受信した制御信号のアドレスデータを記憶部に格納する記憶制御部と、前記スイッチが第２の位置にある際に前記ワイヤレスリモートコントローラから送信された制御信号のアドレスデータと記憶部に記憶されたアドレスデータとの一致を判断し、この一致が判断されたときにこの制御信号を有効にする第２の制御部と、前記スイッチが第３の位置にある際に空気調和機の運転を停止状態に保つ第３の制御部とを備えたことを特徴とする空気調和機の制御装置。
【請求項４】
前記記憶部に格納されているアドレスデータが変更された際に前記記憶部に格納されたアドレスデータを表示する表示制御部を設けたことを特徴とする請求項１乃至請求項３のいずれかに記載の空気調和機の制御装置。
【請求項５】
前記表示制御部はアドレスデータの表示を既存の表示灯の点灯組み合わせで行うことを特徴とする請求項４に記載の空気調和機の制御装置。
【請求項６】
前記既存の表示灯は空気調和機の運転モードを示す表示灯と送風機の運転を示す表示灯であることを特徴とする請求項５に記載の空気調和機の制御装置。
【請求項７】
前記ワイヤレスリモートコントローラには制御信号に含めるアドレスデータを変更する機能が設けられていることを特徴とする請求項１乃至請求項６のいずれかに記載の空気調和機の制御装置。
【請求項８】
前記空気調和機は複数の室内ユニットと室外ユニットからなる分離型の空気調和機であり、かつそれぞれの室内ユニットに前記スイッチが設けられていることを特徴とする請求項１乃至請求項７のいずれかに記載の空気調和機の制御装置。
【請求項９】
前記ワイヤレスリモートコントローラ及び記憶部には予め同じアドレスデータが初期設定されていることを特徴とする請求項１乃至請求項８のいずれかに記載の空気調和機の制御装置。
【発明の詳細な説明】
【０００１】
【発明の属する技術分野】
本発明は、空気調和機とそのワイヤレスリモートコントローラとの間で用いられるアドレスデータの設定に関するものである。
【０００２】
【従来の技術】
このようなアドレスデータの設定は特許第２６３８３６８号に記載されたようなものがあった。この公報に記載されたものは、空調制御ユニットとコントローラとがワイヤレスで接続されて空調運転を制御する空気調和装置の運転制御装置であって、コントローラには、予めコントローラ毎に異なるシリアル番号のアドレスが設定されて該アドレスを記憶している送信アドレス記憶手段と、送信アドレス記憶手段が記憶しているアドレスと共に情報信号を送信する送信手段とが備えられる。
【０００３】
一方、空調制御ユニットには、コントローラからの情報信号を受信する受信手段と、コントローラのアドレスを記憶するための受信アドレス記憶手段と、コントローラのアドレスを受信アドレス記憶手段に書込むための書込み可能状態に設定する書込み許可手段と、書込み許可手段による書込み可能状態において受信手段がコントローラの情報信号を受けると、情報信号のアドレスを上記受信アドレス記憶手段に書込む書込み手段と、受信手段がコントローラの情報信号を受けると、情報信号のアドレスと上記受信アドレス記憶手段のアドレスとが一致しているか否かを判定し、アドレスの一致している情報信号に基づいて空調運転を制御する空調運転手段とが備えられているものであった。
【０００４】
【発明が解決しようとする課題】
このような従来のアドレス設定では、まず所定のスイッチをＯＮ状態にして受信アドレスをアドレス記憶手段に記憶するものであり、このためのスイッチを単独（または既存のスイッチと兼用）で設ける必要があった。
【０００５】
このため、不用意にスイッチが操作されアドレスが変更される問題があり、特に同一の部屋に複数の空気調和機を設けた場合にこのような問題が生じやすいものであった。
【０００６】
また、リモートコントローラ毎に固有のアドレスが予め設定されているため、空調制御ユニットへのアドレスの設定操作が必ず必要であり、設置時の煩わしさがあり、また設定を忘れた際には空気調和機が動作しないものであった。
【０００８】
【課題を解決するための手段】
また、本発明は、少なくとも第１の位置、第２の位置を有するスイッチと、このスイッチが第１の位置から第２の位置に変わった際に第１の位置で受信した制御信号のアドレスデータを記憶部に格納する記憶制御部と、前記スイッチが第２の位置にある際に前記ワイヤレスリモートコントローラから送信された制御信号のアドレスデータと記憶部に記憶されたアドレスデータとの一致を判断し、この一致が判断されたときにこの制御信号を有効にする制御部とを備えることにより、アドレスの設定を単一のスイッチの第１の位置から第２の位置への切り替わり時に行うので通常運転時に誤操作でアドレスが変わることを抑制できるものである。
【０００９】
また本発明は、少なくとも第１の位置、第２の位置、第３の位置を有するスイッチと、このスイッチが第１の位置にある際に制御信号のアドレスデータに関わらずこの制御信号を有効にする第１の制御部と、このスイッチが第１の位置から第２の位置もしくは第３の位置に変わった際に第１の位置で受信した制御信号のアドレスデータを記憶部に格納する記憶制御部と、前記スイッチが第２の位置にある際に前記ワイヤレスリモートコントローラから送信された制御信号のアドレスデータと記憶部に記憶されたアドレスデータとの一致を判断し、この一致が判断されたときにこの制御信号を有効にする第２の制御部と、前記スイッチが第３の位置にある際に空気調和機の運転を停止状態に保つ第３の制御部とを備えたことにより、アドレスの設定を単一のスイッチの第１の位置から第２の位置への切り替わり時に行うので通常運転時に誤動作でアドレスが変わることを抑制できるものである。
【００１０】
また本発明は、ワイヤレスリモートコントローラから送信されアドレスデータを含む制御信号を受信して、空気調和機の運転を制御する空気調和機の制御装置において、少なくとも第１の位置、第２の位置、第３の位置を有するスイッチと、このスイッチが第１の位置にある際に制御信号のアドレスデータに関わらずこの制御信号を有効にする第１の制御部と、このスイッチが第３の位置から第２の位置に変わった際に第１の位置で受信した制御信号のアドレスデータを記憶部に格納する記憶制御部と、前記スイッチが第２の位置にある際に前記ワイヤレスリモートコントローラから送信された制御信号のアドレスデータと記憶部に記憶されたアドレスデータとの一致を判断し、この一致が判断されたときにこの制御信号を有効にする第２の制御部と、前記スイッチが第３の位置にある際に空気調和機の運転を停止状態に保つ第３の制御部とを備えたことによりアドレスの設定を単一のスイッチの第３の位置から第２の位置へ切り替わり時に行うので通常運転時に誤動作でアドレスが変わることを抑制できるものである。
【００１１】
また本発明は、記憶部に格納されているアドレスデータが変更された際に前記記憶部に記憶されたアドレスデータを表示する表示制御部を設けたことにより、記憶されたアドレスを確認できるものである。
【００１２】
また本発明は、さらに前記表示制御部はアドレスデータの表示を既存の表示灯の点灯組み合わせで行うので表示の共通化が図れるものである。
【００１３】
また本発明は、さらに前記既存の表示灯は空気調和機の運転モードを示す表示灯と送風機の運転を示す表示灯をもちいるので表示の共通化が図れるものである。
【００１４】
また本発明は、さらに前記ワイヤレスリモートコントローラには制御信号に含めるアドレスデータを変更する機能が設けられているので、未使用のアドレスを選択することができアドレスの重複設定を抑制できるものである。
【００１５】
また本発明は、さらに前記空気調和機は複数の室内ユニットと室外ユニットとからなる分離型の空気調和機であり、かつそれぞれの室内ユニットに前記スイッチが設けられているので、複数の空気調和機を誤動作することなく操作することができるものである。
【００１６】
また本発明は、さらに前記ワイヤレスリモートコントローラ及び記憶部には予め同じアドレスデータが初期設定されているのでアドレス設定を行うことなくそのままの状態で運転をさせることができ、必要に応じてアドレスの変更が行えるものである。
【００１７】
【発明の実施の形態】
以下、本発明の実施例を図面を用いて説明する。図１は単一の室外ユニット（図示せず）に２台の室内ユニットＡ、Ｂを接続した分離型の空気調和機を被調和室に設置した状態を示す説明図である。
【００１８】
この空気調和機は通称マルチタイプと称するものであり、それぞれ対応するリモートコントローラＡ１、Ｂ１から送信されるワイヤレスの制御信号からアドレスデータの一致する制御信号に基づいて運転を行うものである。
【００１９】
以下、リモートコントローラＡ１と室内ユニットＡとの組み合わせについて説明するが、リモートコントローラＡ２と室内ユニットＢとの組み合わせについても同様の説明のなるのでこの説明は省略する。
【００２０】
リモートコントローラＡ１にはアドレスの切り替え機能があり、この機能は図示しないが、隠しスイッチや既存のスイッチの操作組み合わせによって変更できるものであり、アドレスデータは２ビットで構成され、その組み合わせは「００」、「１０」「０１」「１１」の４種類から選択して設定できるものである。初期値は「００」に設定されている。
【００２１】
尚、以下この実施例ではアドレスデータを２ビットで構成するがこれに限るものではなく２ビット以上の複数ビットで構成しても良いことは言うまでもない。
【００２２】
この実施例では、１部屋（混信対策を必要とする範囲）に最大４台の室内ユニットが設置される可能性があるとしているが、これ以上の台数を必要とする際にアドレスデータのビット数を増やせばよい。
【００２３】
リモートコントローラＡ１はスイッチの操作に応答した制御信号にこのアドレスデータを含ませた後、赤外線などのワイヤレス手段でこの制御信号を送信するものである。制御信号の例としては、リーダーコード（スタートコード）＋アドレスデータ＋制御コード＋エンドコードからなるフレームを所定の周波数でＰＣＭ変調する汎用的なものを用いることができる。
【００２４】
図２は室内ユニットＡの制御回路を示すブロック図である。この図において、１０はプラグであり、屋内配線に接続され商用の交流電力（例えば１００Ｖ）の供給を受けるものである。この交流電力はスイッチ１１を介して制御回路内に供給されると共に、パワーリレー１２の常開接片１２ａと端子１３を介して室外ユニット（図示せず）へ電力が供給されるものである。常開接片１２ａは空気調和機の運転中に閉じて室外ユニットの運転を可能にするものである。
【００２５】
１４は送風用のＤＣファンであり、室内の熱交換器へ被調和室の空気を循環させるものである。このＤＣファン１４は、モーター電源１５から出力される直流の定電圧を駆動回路１６で回転子の回転角度に応じてスイッチングして所定の固定子巻き線に通電させ回転子の連続回転を得るブラシレスモーターである。
【００２６】
駆動回路１６でのスイッチングをマイコン１７（記憶制御部、制御部、第１の制御部、第２の制御部、第３の制御部の動作を含む）が制御し、またモーター電源１５から出力される定電圧の電圧を変えることによってＤＣファン１４の回転数を変えることができる。この電圧はマイコン１７で制御している。
【００２７】
１８は制御回路電源であり、ＤＣファン１４以外の駆動素子（マイコン、リレー及び各種センサなど）へ電力を供給するものであり、モーター電源１５にヒューズ１９と共に直列に接続されている。
【００２８】
２０、２１はそれぞれシリアル電源、シリアル回路であり、端子１３の▲３▼端子、とこの端子につながる信号線（▲２▼端子を電源と共通線としている）を介して室外ユニットのマイコンと信号の送受を可能にするものであって、シリアル電源２０で生成された定電圧にシリアル回路２１でマイコン１７からの信号を重畳させて▲３▼端子から出力し、また受信した信号をマイコン１７に出力するものである。送受信する信号方式としては汎用のＰＣＭ方式などが可能であるが、これに限るものではない。
【００２９】
２２は音声認識回路であり、室内ユニットＡに取り付けられたマイク２３の検出した音声を認識し文字コード列に変換してマイコン１７に出力するものである。マイコン１７では室内ユニットＡにかかる制御の文字コード列であればその文字コード列に対応する制御を行う。尚、音声認識回路２２は汎用のものを用いることができる。
【００３０】
２４は記憶部であり、マイコンの初期定数を格納し、マイコン１７のイニシル時にこれらの定数が読み込まれるものである。この初期定数にはアドレスデータが含まれ、初期値として「００」が格納されており、このアドレスデータはマイコン１７からの出力で書き換え可能である。
【００３１】
２５は音声合成回路であり、マイコン１７から駆動回路２６を介して得られる文字コード列に基づいて音声合成を行いスピーカーＳＰから発声させるものである。
【００３２】
２７、２８はフラップモータ、流量可変弁の駆動用ステップモータであり、マイコン１７からの信号で駆動回路２６を介して制御される。フラップモータ（ステップモータ）２７を駆動させることによって室内ユニットＡから被調和室へ吐出される調和空気の角度を変えることができるものである。
【００３３】
また、ステップモータ２８を駆動させることによって流量可変弁の開度が変わり温水の流量を変えることができるものである。尚、この室内ユニットＡは、冷媒を用いた冷凍サイクル中の熱交換器と温水が供給される温水熱交換器とを併設して搭載し冷房には冷凍サイクルを用い、暖房には温水を優先して用いる様に構成されている。そのステップモータ２８は温水熱交換器へ供給される温水の流量を制御するものである。
【００３４】
２９はインターフェース回路であり、温水を生成する給湯器とマイコン１７とを電気的につなげて制御信号の送受を可能にするものである。この回路２９を用いることによってマイコン１７が必要に応じて給湯器からの温水の供給を制御することができるものである。
【００３５】
３０は表示部であり、マイコン１７からの信号で点灯が制御されるＬＥＤ３１、３２やリモートコントローラＡ１からのワイヤレス信号（赤外線信号）を受信する受信用ＩＣを含むものである。この受信用のＩＣはリモートコントローラＡ１からの信号を復調後マイコン１７の出力にするものである。尚、マイク２２はこの表示部の近くに取り付けられている。
【００３６】
ＬＥＤ３１は青と赤の２色の光源を備えるものであり、マイコン１７からの信号に基づき、冷房運転時は「青」、暖房運転時は「赤」、除湿（ドライ）運転時は「オレンジ（２色の同時発光）」に点灯して空気調和機の運転モードを表示するものである。また、ＬＥＤ３２はＤＣファン１４運転時に点灯して、ファンの運転を表示するものである。
【００３７】
３３は温度センサであり、室内ユニットＡの空気の吸い込み側に設けられ被調和室内の空気の温度を検出し、このセンサの出力はマイコン１７がＡ／Ｄ変換した後取り込み温度制御に用いられる。
【００３８】
３４は冷媒熱交換器温度センサーであり、室内熱交換器の温度を検出し、マイコン１７はこの温度に基づいて、過負荷状態や温度異常に対する制御を行うものである。
【００３９】
３５は温水熱交換器温度センサーであり、温水熱交換器の温度を検出し、マイコン１７はこの温度に基づいて、過負荷状態や温度異常に対する制御を行うものである。
【００４０】
３６はスイッチ基板であり、ＤＥＭＯ（第１の位置）／停止（第３の位置）／運転（第２の位置）のモードを切り換えるスイッチである。「ＤＥＭＯ」は室内ユニットＡのみの運転（室外ユニットを接続しない）時のエラーをマスクして室内ユニットＡのみの運転を可能にするものであり、「停止」はリモートコントローラＡ１からの制御信号に応答せず空気調和機を停止状態に保つ位置であり、「運転」は通常運転の位置である。
【００４１】
またこのスイッチ基板３６の接片３６ａを「運転」の位置にしてスイッチ１１を連通させ、リモートコントローラＡ１から最初に運転の制御信号を送信すると設定された運転モードで試運転を開始し、「停止」で試運転を終了するようにマイコン１７がプログラムされている。この後「運転」にすれば通常運転になる。
【００４２】
また、接片３６ａの位置はマイコン１７がキースキャンしてその位置を判断している。
【００４３】
このように構成された室内ユニットＡは、リモートコントローラＡ１の操作に基づいて空調運転が行われると共に、最適な空調運転が行えるように端子１３を介して室外ユニットの動作を制御するものである。また流量可変弁の開度も暖房運転／除湿運転などの時に室内の負荷に応じて最適な空調運転が行えるように制御するものである。同時に熱源ユニットを制御する信号（給湯の開始、出湯温度の変更など）をインターフェース回路２９を介して送信するものである。
【００４４】
図３はアドレスデータの変更動作を示すフローチャートである。ステップＳ１でまず制御信号を受信したか否かを判断し、制御信号を受信している際はステップＳ２〜ステップＳ４でスイッチ基板３６の接片３６ａが「ＤＥＭＯ」、「運転」、「停止」のいずれの位置あるか否かを判断する。この接片３６ａがこれらのいずれの位置にもないときはエラー処理を行いステップＳ１０で空気調和機の運転を停止状態にする。
【００４５】
ステップＳ１で制御信号の受信が判断されなかったときはステップＳ６に進み現在の設定（運転モード、室温など）に基づく運転を継続し、再度ステップＳ１に戻る。
【００４６】
ステップＳ２で接片３６ａが「ＤＥＭＯ」の位置にあることが判断された時は、前記したようにエラーをマスクするように設定されると共に、ステップＳ７で受信した制御信号の中からアドレスデータを抜き出し記憶部２４に書き込んだ後ステップＳ８へ進み、受信した制御信号を有効して制御信号に基づく設定変更を行い、ステップＳ６で前記した設定値に基づく運転を行う。
【００４７】
ステップＳ３で接片３６ａが「運転」の位置にあることが判断された時は、ステップＳ９で受信した制御信号に含まれるアドレスデータと記憶部２４に書き込まれたアドレスデータ（事前にマイコン１７内に読み込んでいる）との一致を判断し、これらアドレスデータが一致した際はステップＳ８へ進み制御信号を有効にし、ステップＳ６へ進んで設定に基づく運転を行う。またステップＳ９でアドレスの一致が判断されなかった時はステップＳ６に進み現在の設定に基づく運転を行う。
【００４８】
ステップＳ４で停止が判断されたときはステップＳ１０で空気調和機の運転を停止状態に保つものである。
【００４９】
図４は、アドレスデータの変更動作の他の実施例を示すフローチャートである。この図において、図３に記載のステップと同様の動作を行うステップは同じ符番を付し説明は省略する。
【００５０】
図３に示すフローチャートとの相違点はステップＳ２で「ＤＥＭＯ」が判断された時のステップＳ７の実行がなくなり、ステップＳ３で「運転」が判断された時にステップＳ１１、ステップＳ１２が追加され、ステップＳ１１で接片３６ａが「ＤＥＭＯ」→「運転」に変わったか否かを判断し、この条件が判断されたときにステップＳ１２で「ＤＥＭＯ」の際に受信しマイコン１７に記憶されている最新のアドレスデータを記憶部２４に書き込む点である。
【００５１】
図５は、アドレスデータの変更動作の他の実施例を示すフローチャートである。この図において、図３に記載のステップと同様の動作を行うステップは同じ符番を付し説明は省略する。
【００５２】
図４に示すフローチャートとの相違点は、ステップＳ１１、ステップＳ１２の判断と処理をステップＳ４で「停止」が判断されたときに行うようにした点である。
【００５３】
図６は、アドレスデータの変更動作の他の実施例を示すフローチャートである。この図において、図３に記載のステップと同様の動作を行うステップは同じ符番を付し説明は省略する。
【００５４】
図４に示すフローチャートとの相違点は、ステップＳ１１の判断がステップＳ１３で「停止」→「運転」を判断するように変更した点である。
【００５５】
図７は記憶部２４に格納されているアドレスデータが変更（再書き込み）された際の表示動作を示すフローチャートであり、図３に示すフローチャートのステップＳ７の次、図４に示すフローチャートのステップＳ１２の次、図５に示すフローチャートのステップＳ１２の次、図６に示すフローチャートのステップＳ１２の次に実行されるものである。
【００５６】
この図において、まずステップＳ２１で所定時間（５秒程度）の計時を行うタイマをスタートさせる。次いでステップＳ２２でこのタイマが計時を終了したか否かの判断を行い、タイマの計時が終了していればこのフローチャートによる動作を抜ける。
【００５７】
ステップＳ２２でタイムが計時を終了していなければステップＳ２３〜ステップＳ２６で記憶部に格納されているアドレスデータが「００」、「１０」、「０１」、「１１」のいずれであるかを判断し、ステップＳ２３でアドレスデータが「００」と判断されるとステップＳ２７で運転モードを表示するＬＥＤ（表示灯）３１を消灯し、ＤＣファンの動作を示すＬＥＤ３２を消灯させてた後、ステップＳ２２へ戻る。
【００５８】
ステップＳ２４でアドレスデータが「１０」と判断されるとステップＳ２８で運転モードを表示するＬＥＤ３１を点滅させ、ＤＣファンの動作を示すＬＥＤ３２を消灯させてた後、ステップＳ２２へ戻る。このときＬＥＤ３１の点滅は、設定されている運転モードを示す色で点滅するものである。
【００５９】
ステップＳ２５でアドレスデータが「０１」と判断されるとステップＳ２９で運転モードを表示するＬＥＤ３１を消灯させ、ＤＣファンの動作を示すＬＥＤ３２を点滅させてた後、ステップＳ２２へ戻る。
【００６０】
ステップＳ２６でアドレスデータが「１１」と判断されるとステップＳ３０で運転モードを表示するＬＥＤ３１を点滅させ、ＤＣファンの動作を示すＬＥＤ３２を点滅させてた後、ステップＳ２２へ戻る。このときＬＥＤ３１の点滅は、設定されている運転モードを示す色で点滅するものである。
【００６１】
以上のように構成された空気調和機では、被調和室に室内ユニットを２台以上設置した時、室内ユニットＡのアドレスデータを初期値から変える際、まず対応するリモートコントローラＡ１のアドレスデータを「１０」に変更する、次いで、室内ユニットＡの切換スイッチ３６を「ＤＥＭＯ（第１の位置）」に切り換えた後、リモートコントローラＡ１を操作して室内ユニットＡを運転させる。次いで、切換スイッチ３６を「停止（第３の位置）」へ切り換え、ＬＥＤ３１の点滅、ＬＥＤ３２の消灯から室内ユニットＡの記憶部にアドレスデータ「１０」が格納されたことを確認し、さらに切換スイッチ３６を「運転（第２の位置）」へ切り換え通常運転を開始する。以後、記憶されたアドレスデータに基づいて運転が行われるものである。
【００６２】
【発明の効果】
以上のように構成された空気調和機の制御装置では、複数の位置を有するスイッチの一連の切換操作でアドレスデータの変更を行うので、スイッチの戻し忘れなどがなく誤操作を防止できるものである。
【００６３】
また、少なくとも第１の位置から第３の位置の３位置を有する切換スイッチを所定の手順で操作した際にアドレスデータが切り替わるので、誤操作により不必要にアドレスデータが切り替わるのを防止できるものである。
【００６４】
また、アドレスデータの初期値が予め設定されており、アドレスデータの変更を必要とするときのみ変更の操作を行えばよいものである。
【図面の簡単な説明】
【図１】単一の室外ユニット（図示せず）に２台の室内ユニットＡ、Ｂを接続した状態を示す説明図である。
【図２】室内ユニットＡ１の制御回路を示すブロック図である。
【図３】アドレスデータの変更動作を示すフローチャートである。
【図４】アドレスデータの変更動作の他の実施例を示すフローチャートである。
【図５】アドレスデータの変更動作の他の実施例を示すフローチャートである。
【図６】アドレスデータの変更動作の他の実施例を示すフローチャートである。
【図７】アドレスデータが変更（再書き込み）された際の表示動作を示すフローチャートである。
【符号の説明】
Ａ、Ｂ  室内ユニット
Ａ１、Ｂ１  リモートコントローラ
１７  マイコン
２４  記憶部
３６  スイッチ
３１、３２  ＬＥＤ
【図１】
0004346161.tif 000002
【図２】
0004346161.tif 000003
【図３】
0004346161.tif 000004
【図４】
0004346161.tif 000005
【図５】
0004346161.tif 000006
【図６】
0004346161.tif 000007
【図７】
0004346161.tif 000008